(57)【特許請求の範囲】
【請求項１】
球通路に設けられた検出部を備え、該検出部を遊技球が通過していない場合に検出信号を出力し続け、該検出部を遊技球が通過した場合に無信号となることで該球通路を流れる遊技球を検出する検出手段と、
前記検出手段よりも下流側に前記球通路を遮断する遮断位置と開放する開放位置の間を回動可能に設けられ、前記検出手段を通過した遊技球との接触により前記開放位置へ回動し該遊技球を下流側へ流すと共に、該遊技球が通過した後に前記遮断位置へ回動して前記球通路を遮断し、前記検出手段を通過した遊技球の前記検出手段への移動を規制する逆流規制部材と、
を有する遊技機。
【請求項２】
前記球通路の幅は、前記逆流規制部材が前記遮断位置にある場所では前記逆流規制部材と前記球通路との間を遊技球が通過できない大きさとされ、前記逆流規制部材が前記開放位置にある場所では前記逆流規制部材と前記球通路との間を遊技球が通過できるように遊技球の直径の２倍よりも広い大きさとされた請求項１に記載の遊技機。
【請求項３】
前記逆流規制部材は、
前記球通路を遮断する板材と、
前記板材を回動可能に支持する支持手段と、
前記板材を前記遮断位置へ回動させる回動力を付与するバランス部と、
を備えている請求項１又は請求項２に記載の遊技機。
【請求項４】
前記逆流規制部材には、前記板材を前記遮断位置に付勢する付勢手段が設けられている請求項３に記載の遊技機。
【請求項５】
前記逆流規制部材の開放時間を検出する開放時間検出手段と、
前記開放時間検出手段で検出された開放時間が設定時間を越えると不正状態を報知する報知手段と、
が設けられている請求項１から請求項４のいずれか１項に記載の遊技機。
【請求項６】
前記逆流規制部材が前記遮断位置よりも前記検出手段側へ移動するのを規制する移動規制部材が設けられている請求項１から請求項５のいずれか１項に記載の遊技機。
【発明の詳細な説明】
【技術分野】
【０００１】
本発明は、遊技球が遊技盤の表面に沿って、釘及び風車を含む障害物に当接しながら落下する領域に設けられ、入賞することで賞球が払い出される入賞口を備えた遊技機に関する。
【背景技術】
【０００２】
特許文献１のスロットマシンは、メダル通過検出装置を有している。メダル通過検出装置は、メダル通路に間隔をあけて設けられた２個のメダル検出用の近接センサと、各近接センサの出力に基づいてメダル通路をメダルが通過したかどうかを判断する制御部とを備えており、メダルの戻り動作を検出している。
【０００３】
特許文献２の遊技機は、球通路内にストッパ部材が延出するようになっており、ストッパ部材が、球通路における遊技球の流下を規制している。
【先行技術文献】
【特許文献】
【０００４】
【特許文献１】特開２００２−３４２８１４号公報
【特許文献２】特開２０００−１７６１１９号公報
【発明の概要】
【発明が解決しようとする課題】
【０００５】
本発明は、糸付きの遊技球を用いて遊技球を獲得する不正行為を防ぐことができる遊技機を得ることを目的とする。
【課題を解決するための手段】
【０００６】
本発明の請求項１に係る遊技機は、球通路に設けられた検出部を備え、該検出部を遊技球が通過していない場合に検出信号を出力し続け、該検出部を遊技球が通過した場合に無信号となることで該球通路を流れる遊技球を検出する検出手段と、前記検出手段よりも下流側に前記球通路を遮断する遮断位置と開放する開放位置の間を回動可能に設けられ、前記検出手段を通過した遊技球との接触により前記開放位置へ回動し該遊技球を下流側へ流すと共に、該遊技球が通過した後に前記遮断位置へ回動して前記球通路を遮断し、前記検出手段を通過した遊技球の前記検出手段への移動を規制する逆流規制部材と、を有する。
【０００７】
上記構成によれば、糸付きの遊技球を用いて不正行為が行われた場合、検出手段を通過中もしくは通過した糸付きの遊技球は、遮断位置で球通路を遮断している逆流規制部材と接触する。そして、逆流規制部材が開放位置へ回動して球通路を開放することにより、糸付きの遊技球は逆流規制部材よりも下流側に流れる。続いて、逆流規制部材は、遮断位置へ回動して再度、球通路を遮断する。これにより、検出手段を通過した遊技球の検出手段への移動が規制されるので、糸付きの遊技球が検出手段を複数回通過することが防止され、不正行為を防ぐことができる。
【０００８】
本発明の請求項２に係る遊技機の前記球通路の幅は、前記逆流規制部材が前記遮断位置にある場所では前記逆流規制部材と前記球通路との間を遊技球が通過できない大きさとされ、前記逆流規制部材が前記開放位置にある場所では前記逆流規制部材と前記球通路との間を遊技球が通過できるように遊技球の直径の２倍よりも広い大きさとされた。
【０００９】
本発明の請求項３に係る遊技機の前記逆流規制部材は、前記球通路を遮断する板材と、前記板材を回動可能に支持する支持手段と、前記板材を前記遮断位置へ回動させる回動力を付与するバランス部と、を備えている。該構成によれば、支持手段で支持され遮断位置にある板材に遊技球が接触したとき、板材では、バランス部によって付与される回動力よりも遊技球の重量による押し下げ力の方が大きくなるため、板材が開放位置へ回動して球通路が開放され、遊技球が下流側へ流れる。一方、遊技球が板材を通過した後は、板材にバランス部による回動力のみが付与されるため、板材は回動して遮断位置に戻り、球通路を遮断する。このようにして、逆流規制部材による球通路の開閉を自動で行うことができる。
【００１０】
本発明の請求項４に係る遊技機の前記逆流規制部材には、前記板材を前記遮断位置に付勢する付勢手段が設けられている。
【００１１】
上記構成によれば、遊技球が板材を通過した後、板材は付勢手段によって付勢され遮断位置に回動する。これにより、付勢手段を設けていない構成に比べて、短時間で板材を遮断位置に戻すことができる。
【００１２】
本発明の請求項５に係る遊技機には、前記逆流規制部材の開放時間を検出する開放時間検出手段と、前記開放時間検出手段で検出された開放時間が設定時間を越えると不正状態を報知する報知手段と、が設けられている。
【００１３】
上記構成によれば、糸付きの遊技球とは別の部材が使用され、逆流規制部材が開放位置に回動して保持された場合、開放時間検出手段は、逆流規制部材が開放状態となっている時間（開放時間）を検出する。そして、報知手段は、開放時間検出手段で検出された開放時間が設定時間を越えると、不正状態であると判定して、遊技機が不正状態であることを光の点滅あるいは警告音等により報知する。このように、糸付きの遊技球とは別の部材が使用されて逆流規制部材が開放位置で保持されても、不正状態を抑制することができる。
【００１４】
本発明の請求項６に係る遊技機には、前記逆流規制部材が前記遮断位置よりも前記検出手段側へ移動するのを規制する移動規制部材が設けられている。
【００１５】
上記構成によれば、移動規制部材によって、逆流規制部材が遮断位置よりも検出手段側へ移動することが規制されるため、逆流規制部材が検出手段に接触するのを防ぐことができる。
【発明の効果】
【００１６】
本発明は、上記構成としたので、糸を付けた遊技球を用いて遊技球を獲得する不正行為を防ぐことができる。
【図面の簡単な説明】
【００１７】
【図１】本発明の第１実施形態に係るパチンコ機の正面図である。
【図２】本発明の第１実施形態に係る遊技盤の正面図である。
【図３】（Ａ）本発明の第１実施形態に係る球通路に逆流規制板を設けた状態を示す説明図である。（Ｂ）本発明の第１実施形態に係る球通路の横断面における逆流規制板の配置状態を示す説明図である。
【図４】本発明の第１実施形態に係る球検出センサの斜視図である。
【図５】（Ａ）、（Ｂ）本発明の第１実施形態に係る逆流規制板の回動状態を示す説明図である。
【図６】（Ａ）本発明の第２実施形態に係る球通路に逆流規制板を設けた状態を示す説明図である。（Ｂ）本発明の第２実施形態に係る球通路の横断面における逆流規制板の配置状態を示す説明図である。
【図７】（Ａ）、（Ｂ）本発明の第２実施形態に係る逆流規制板の回動状態を示す説明図である。
【図８】（Ａ）本発明の第３実施形態に係る球通路に逆流規制板を設けた状態を示す説明図である。（Ｂ）本発明の第３実施形態に係る球通路の横断面における逆流規制板の配置状態を示す説明図である。
【図９】（Ａ）、（Ｂ）本発明の第３実施形態に係る逆流規制板の回動状態を示す説明図である。
【図１０】（Ａ）、（Ｂ）本発明の第１〜第３実施形態に係る球検出センサと逆流規制板の配置状態を示す説明図である。
【発明を実施するための形態】
【００１８】
本発明の第１実施形態に係るパチンコ機について説明する。
【００１９】
（パチンコ機の構成）
図１には、第１実施形態の遊技機の一例としてのパチンコ機１０が示されている。パチンコ機１０は、パチンコ機１０の外郭を構成するとともにパチンコホールの島設備（図示省略）に設置される矩形状の外枠１２を備えている。外枠１２の前面には、合成樹脂で矩形額縁状に形成された内枠１４が配置されており、内枠１４の下側となる外枠１２の前面下端部には、パチンコ機１０の前面下端部を構成する合成樹脂製の下飾り１６が取り付けられている。
【００２０】
下飾り１６の上部には、互いに平行、かつ奥行き方向に所定の間隔をおいて配置された一対のガラス板１８を装着したガラス枠２０が配置されており、ガラス枠２０は左側端部が軸支されて開閉可能に取り付けられている。このガラス枠２０の奥側には、着脱交換可能に遊技盤２２がセットされており、遊技盤２２は、ガラス枠２０で閉塞された状態でガラス板１８に対向するようになっている。
【００２１】
ガラス枠２０の下部には、一体皿２４が配置されている。パチンコ機１０の正面視で一体皿２４の右端部には、鍵穴２６が設けられており、鍵穴２６にキーを差し込み、左右の内、一方に回すとガラス枠２０が開放し、他方に回すと一体皿２４が開放するようになっている。
【００２２】
一体皿２４には、遊技球（図示省略）が払い出される上皿部２８と、上皿部２８で満杯となった遊技球が送り出される下皿部３０とが設けられている。上皿部２８を形成する周縁壁部３２には、上皿球抜きレバー３４が設けられており、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球を外部（例えば、いわゆる「ドル箱」）へ排出することができるようになっている。
【００２３】
上皿部２８の周縁壁部３２における右端部には、球貸ボタン３８と、返却ボタン４２が設けられている。また、一体皿２４の右側下部には打球の発射力（飛距離）を調整するための発射ハンドル４４が取り付けられ、左側下部には、灰皿４６が収納されている。そして、一体皿２４における下皿部３０の右側には、報知手段の一例としてのスピーカ５０が設けられている。
【００２４】
さらに、一体皿２４における上皿部２８の周縁壁部３２には、遊技者が操作可能な操作ボタン５２が設けられている。操作ボタン５２は、遊技中において、操作有効期間中に操作することで、演出画像に対して介入することができるようになっており、それぞれの遊技仕様によって設定される。
【００２５】
一方、ガラス枠２０におけるガラス板１８の周囲には、遊技の進行に応じて点灯、消灯、及び点滅し照明による視覚的効果や、音声等による聴覚的効果等の演出効果を生み出すアーチ状の上側演出部５４が設けられている。そして、上側演出部５４の下端部は、一体皿２４の周囲に略Ｕ字型に配置された下側演出部５６の上端部と連結されている。この結果、上側演出部５４と下側演出部５６とで、遊技盤２２の周囲を取り囲むように、演出部５８が形成されている。
【００２６】
下側演出部５６は、上側演出部５４及び下側演出部５６共に、照明部材（ＬＥＤ等）が取り付けられた基板（図示省略）と、この基板を覆うように所定の意匠で形成されたレンズカバー６２とが取り付けられている。
【００２７】
レンズカバー６２は、前記照明部材が点灯する領域を区画するよう凹凸状にカットされており、区画された領域毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。
【００２８】
また、ガラス枠２０の上部角部には、それぞれ報知手段の一例としての三連表示灯６４が設けられ、遊技状態の報知（エラー報知や後述する不正報知等を含む）に適用される。さらに、上側演出部５４における、ガラス枠２０の上部円弧の約１／３に相当する領域の中央及び両端には、ガラス枠スピーカ６０Ｃ、６０Ｌ、６０Ｒが内蔵され、照明と同時に音声を出力するようになっている。
【００２９】
（遊技盤の構成）
図２に示すように、遊技盤２２は、基板となるベニヤ板に樹脂製シート状のセルが貼着されてそのセルの表面が盤面となっており、盤面の外周端部付近に、円弧状の外レール７２及び内レール７４が取り付けられている。これらの外レール７２及び内レール７４によって囲まれた円形状の領域は、発射装置（図示省略）から発射されて打ち込まれた遊技球ＰＢが自重落下により移動可能とされ、この領域が遊技を行う遊技領域Ｆとされている。
【００３０】
遊技盤２２の遊技領域Ｆには、釘（図示省略）及び風車７６が点在して打ち込まれている。また、遊技領域Ｆにおけるほぼ中央には、センター役物８０が配置されている。センター役物８０は、各種演出等の映像を表示するＬＣＤ表示部８２を備えている。
【００３１】
ＬＣＤ表示部８２では、例えば、３列の図柄列が独立して変動し、最終的に３列の図柄列が同一図柄で停止した場合に特別図柄抽選の当選を報知するといった、図柄変動パターン演出が実行される。なお、３列の内、先に２列が同一図柄で停止（仮停止）して、残りの１列が変動中の場合、あるいは、３列の内、先に左右２列が同一図柄で停止（仮停止）して、残りの中央の１列が変動中の場合を「リーチ」という。
【００３２】
センター役物８０の下辺部には、ステージ８０Ｓが形成されている。ステージ８０Ｓには、釘等で跳ね返えることで受け入れた遊技球ＰＢ、あるいは図示しないワープ路に案内されて受け入れた遊技球ＰＢが送り込まれるようになっている。また、ステージ８０Ｓは、傾斜面や突起部等が形成されており、遊技球ＰＢの移動が当該傾斜面や突起部等により不規則に変化して、最終的に下辺手前から遊技盤２２へ戻されるようになっている。
【００３３】
一方、センター役物８０の左側（図示の左側）には、普通図柄抽選の始動機能を持つ通過ゲート８４が配置されている。また、センター役物８０の下部には、特別図柄始動入賞口８６Ａ、８６Ｂが上下に設けられている。
【００３４】
特別図柄始動入賞口８６Ａは、常時、入賞可能に上部が開口しており、特別図柄始動入賞口８６Ｂの上部開口（入賞開口部）は、特別図柄始動入賞口８６Ａが閉塞している。この特別図柄始動入賞口８６Ｂには、電動チューリップ８８が取り付けられている。電動チューリップ８８は、遊技盤２２の裏面側に配設された電チューソレノイド（図示省略）の通電、非通電によって開閉する構成となっている。ここで、電動チューリップ８８が開放状態になると、特別図柄始動入賞口８６Ｂの入賞開口部への遊技球ＰＢの受け入れが可能となり、遊技球ＰＢの入賞が可能となる。
【００３５】
また、図２に示すように、特別図柄始動入賞口８６Ｂの下側には、遊技領域Ｆの下端部付近に位置してアタッカー９２が配置されている。アタッカー９２には開閉扉９４が設けられており、開閉扉９４は、ソレノイド（図示省略）の通電、非通電によって開放又は閉塞されるようになっている。すなわち、開閉扉９４の開放時には、開閉扉９４上に落下した遊技球ＰＢが開閉扉９４に案内されてアタッカー９２へ入賞する。そして、遊技領域Ｆの中央の最下位置には、入賞せずに流化した遊技球ＰＢ（外れ球）を遊技盤２２の裏側へ排出するアウト口９６が設けられている。
【００３６】
さらに、遊技領域Ｆにおけるセンター役物８０よりも下で、且つ特別図柄始動入賞口８６Ａ、８６Ｂの左右には、複数のサイド入賞口１０２が設けられている（本実施形態では、パチンコ機１０を遊技者側から正面視して、向かって左側に２個のサイド入賞口１０２Ａ、１２０Ｂが設けられ、右側に１個のサイド入賞口１０２Ｃが設けられている。）。なお、サイド入賞口１０２の個数は、３個に限られるものではなく、例えば、入賞率等の設計上の演算によってその数を決めればよい。
【００３７】
ここで、特別図柄始動入賞口８６Ａ又は特別図柄始動入賞口８６Ｂに遊技球ＰＢが入賞すると、特別図柄抽選が実行され、この特別図柄抽選に当選すると、前記アタッカー９２の開閉扉９４が所定のパターンで開閉動作し、これを所定回数（所定ラウンド）繰り返すようになっている（「特別遊技状態」又は「大役処理」等と言う場合がある）。
【００３８】
なお、前記特別図柄抽選の当選／落選は、主としてＬＣＤ表示部８２の図柄変動表示演出において遊技者に報知され、この図柄変動パターン演出中、或いは、前記大役処理中の場合は、抽選結果を保留し、順次報知していくようになっている。また、図柄変動表示演出と共に、動物などが擬人化されたキャラクタが表示され、抽選で当選した旨を暗示させることにより、遊技者に期待感を持たせるといった視覚的な演出をすることがあり、その場合は、効果音によって聴覚からも遊技者の興趣を増大させる。
【００３９】
一方、遊技盤２２には、内レール７４の内側に沿って取付けられ遊技領域Ｆの左下側の一部を構成する装飾部材１０４が設けられている。装飾部材１０４は、略三日月状の本体部１０４Ａを有しており、本体部１０４Ａの中央付近にはサイド入賞口１０２Ａが設けられ、本体部１０４Ａの右下側にはサイド入賞口１０２Ｂが設けられている。なお、本体部１０４Ａの具体的な装飾状態（形状）については説明を省略する。
【００４０】
遊技盤２２の裏面側（遊技者と対面する側を表面とする）におけるセンター役物８０の下部には、複数の球通路が形成された球案内パネル（図示省略）が取付けられている。球案内パネルは、センター役物８０の下部に集中している入賞口（特別図柄始動入賞口８６Ａ、８６Ｂ、サイド入賞口１０２Ａ、１０２Ｂ、１０２Ｃ）に、複数の球通路がそれぞれ対応するように取付けられている。
【００４１】
（要部構成）
次に、遊技球ＰＢの逆流を規制する逆流規制部材の一例としての逆流規制板１００及び球通路部材１０８の構成について説明する。
【００４２】
図３（Ａ）には、複数の入賞口のうち一例として、サイド入賞口１０２Ａが示されている。サイド入賞口１０２Ａよりも奥側には、サイド入賞口１０２Ａに入賞した遊技球ＰＢを回収部（図示省略）に案内する球通路部材１０８が設けられている。球通路部材１０８は、前述の球案内パネル（図示省略）の一部を構成しており、正面視でサイド入賞口１０２Ａから右下方向に向かって延設された球通路１０８Ａと、球通路１０８Ａの下端から下方側へ延設された球通路１０８Ｂとを有している。そして、球通路１０８Ｂの途中には、遊技球ＰＢを検出する検出手段の一例としての球検出センサ１１０が設けられている。
【００４３】
図４に示すように、球検出センサ１１０は、高周波発振回路の検出コイルのインピーダンスの変化で金属製の遊技球ＰＢの有無を検出する方式の近接センサであり、薄型板状の直方体形状で円形の通過孔１１２Ａが形成されている。通過孔１１２Ａは遊技球ＰＢを検出する検出領域であり、この検出領域（通過孔１１２Ａの周縁）に検出コイルを有する検出部１１２Ｂが設けられている。
【００４４】
また、球検出センサ１１０には、検出部１１２Ｂからの信号を受けて出力信号を生成する高周波発振回路を備えた信号生成部１１２Ｃが設けられている。ここで、球検出センサ１１０に駆動電力が供給されると、通過孔１１２Ａに遊技球ＰＢが通過していない状態（通常状態）において、検出信号としてＨ信号（３．３Ｖ又は５．０Ｖ）を出力する。逆に、通過孔１１２Ａを遊技球ＰＢが通過すると、Ｌ信号（無信号）となる。
【００４５】
このように、遊技球ＰＢの非検出時にＨ信号、検出時にＬ信号とすると、例えば、外部からの電波の一部が球検出センサ１１０の検出領域に届くことがあっても、Ｈ信号が維持されることになる。すなわち、外部からの電波は、Ｌ信号（無信号状態）の出力をＨ信号に変換させる能力はあるが、Ｈ信号をＬ信号に変換する能力はないためである。そして、球検出センサ１１０の信号生成部１１２Ｃは、パチンコ機１０（図１参照）の各部の動作を制御すると共に開放時間検出手段の一例である制御部９０に接続されている。
【００４６】
制御部９０は、遊技球ＰＢが球検出センサ１１０を完全に通過したとき、即ち、Ｈ信号からＬ信号となりさらにＨ信号となったときに、球払出手段（図示省略）から賞球を払い出させる構成となっている。また、制御部９０は、スピーカ５０及び三連表示灯６４（図１参照）に接続されており、スピーカ５０から出力される効果音又は警告音の選択や、三連表示灯６４の点灯状態の変更（点滅、常時点灯等）を行うようになっている。なお、制御部９０によるスピーカ５０、三連表示灯６４の動作については、第３実施形態で説明する。
【００４７】
一方、図３（Ａ）に示すように、球通路１０８Ｂにおける球検出センサ１１０の下側には、逆流規制部材の一例としての逆流規制板１００が設けられている。
【００４８】
逆流規制板１００は、図示の奥行き方向（矢印Ｙ方向）を軸方向として配置される支持手段の一例としての円柱状の回転軸１００Ｃと、回転軸１００Ｃの側面から矢印−Ｘ方向に延設された板材の一例としての板状の接触部１００Ａと、回転軸１００Ｃにおける接触部１００Ａとは反対側の側面から矢印＋Ｘ方向に延設された板状のバランス部１００Ｂとを含んで構成されている。
【００４９】
接触部１００Ａは、球通路１０８Ｂ側に配置され、遊技球ＰＢが接触するようになっている。接触部１００Ａの上面１００Ｄは、逆流規制板１００が回動していない初期状態において、面内方向が遊技球ＰＢの流下方向と直交するように配置されており、この位置で球通路１０８Ｂを遮断（遊技球ＰＢの通過を遮断）している。なお、以後の説明では、逆流規制板１００が回動していない初期状態での逆流規制板１００の位置を遮断位置とし、遊技球ＰＢが逆流規制板１００を通過する状態での逆流規制板１００の位置を開放位置とする。また、矢印Ｘ方向、Ｙ方向と直交する上下方向を矢印Ｚ方向とする。
【００５０】
回転軸１００Ｃの軸方向は、矢印Ｙ方向と一致しており、接触部１００Ａ及びバランス部１００Ｂの長手方向（矢印Ｘ方向）と矢印Ｙ方向とは直交している。そして、矢印Ｘ方向において、回転軸１００Ｃの軸中心Ｏから接触部１００Ａの端部（図示の左端部）までの長さＬ１は、回転軸１００Ｃの軸中心Ｏからバランス部１００Ｂの端部（図示の右端部）までの長さＬ２よりも長くなっている。
【００５１】
また、回転軸１００Ｃは、パチンコ機１０（図１参照）内部に設けられた支持手段の一例としてのブラケット１０３により、矢印＋Ｒ方向（図示の時計回り方向）又は矢印−Ｒ方向（図示の反時計回り方向）に回動可能に支持されている。矢印＋Ｒ、−Ｒ方向は、いずれもＸ−Ｚ面内での移動方向であり、矢印＋Ｒ方向が、逆流規制板１００が球検出センサ１１０に近づく方向、矢印−Ｒ方向が、逆流規制板１００が球検出センサ１１０から離れる方向となっている。
【００５２】
一方、バランス部１００Ｂの下面には、錘部材１０１が取付けられており、逆流規制板１００に回動力（遮断位置へ向かう力）を付与するようになっている。なお、本実施形態では、バランス部１００Ｂの重量の調整を可能とするために錘部材１０１を別部材として取付けているが、バランス部１００Ｂと錘部材１０１は、一体であってもよい。一体とした場合は、バランス部１００Ｂの厚さを接触部１００Ａの厚さに対して厚くすればよい。このため、錘部材１０１は、バランス部１００Ｂに含まれるものとする。
【００５３】
ここで、軸中心Ｏを境界として、回転軸１００Ｃを含む接触部１００Ａの重量をＷｔ１、回転軸１００Ｃを含むバランス部１００Ｂの重量をＷｔ２とし、さらに、錘部材１０１の重量をＷｔ３、遊技球ＰＢの重量をＷｔ４（いずれも図示は省略）として、Ｗｔ１≦（Ｗｔ２＋Ｗｔ３）＜（Ｗｔ１＋Ｗｔ４）の不等式（以後、不等式Ａという）に合うように各重量が設定されている。
【００５４】
不等式Ａを用いた重量Ｗｔ１、Ｗｔ２、Ｗｔ３、Ｗｔ４の設定は、各部材の重量の設定の一例であり、前述の接触部１００Ａの長さＬ１とバランス部１００Ｂの長さＬ２を含めたモーメントも考慮して設定される。このように各部材の重量を設定することで、逆流規制板１００は、遊技球ＰＢとの接触、非接触により、モータ等の回転駆動手段を用いずに矢印−Ｒ方向又は矢印＋Ｒ方向に回動可能となっている。
【００５５】
ここで、逆流規制板１００が遮断位置（初期位置）に配置されている状態において、球検出センサ１１０の下面１１２Ｄと逆流規制板１００の上面１００Ｄとの間隔をΔｄ１とし、遊技球ＰＢの直径をｄとして、本実施形態では、０＜Δｄ１＜ｄとなるようにΔｄ１が設定されている。これにより、逆流規制板１００が設置位置で保持されている状態で、糸１０６付きの遊技球ＰＢが球検出センサ１１０を上下に往復移動する不正が行われないようになっている。
【００５６】
また、逆流規制板１００の接触部１００Ａの端部（図示の左端部）上方には、接触部１００Ａの上方への移動を規制する移動規制部材の一例としてのストッパ部材１１６が設けられている。ストッパ部材１１６は、板材であり、下面が接触部１００Ａの上面１００Ｄと接触することで、逆流規制板１００を遮断位置（初期位置）に保持するようになっている。
【００５７】
図３（Ｂ）に示すように、球通路部材１０８の一組の側壁１０８Ｃ、１０８Ｄには、逆流規制板１００の接触部１００Ａが挿通及び移動可能となる大きさの縦孔１０９Ａ、１０９Ｂが形成されている。そして、矢印Ｙ方向における接触部１００Ａの幅をＷ１、縦孔１０９Ａ、１０９Ｂの幅をＷ２として、Ｗ１＜Ｗ２＜ｄとなるように幅Ｗ１、Ｗ２が設定されており、接触部１００Ａは、縦孔１０９Ａ、１０９Ｂに挿通されている。なお、縦孔１０９Ａ、１０９Ｂの幅Ｗ２が遊技球ＰＢの直径ｄよりも小さいため、遊技球ＰＢが縦孔１０９Ａ又は縦孔１０９Ｂから外側へ流出することはない。また、接触部１００Ａの幅方向における球通路１０８Ｂの幅Ｗ３は、遊技球ＰＢの直径の２倍（２ｄ）よりも狭くなっており、接触部１００Ａと球通路１０８Ｂとの隙間から下流側へ遊技球ＰＢが落下しないように設定されている。
【００５８】
次に、第１実施形態の作用について説明する。
【００５９】
図５（Ａ）に示すように、糸１０６付きの遊技球ＰＢがサイド入賞口１０２Ａから球通路１０８Ａを通って球通路１０８Ｂ内を流下する不正行為が行われたとき、球検出センサ１１０を通過中の遊技球ＰＢの下部は、球通路１０８Ｂを遮断している逆流規制板１００の接触部１００Ａと接触する。このとき、接触部１００Ａには遊技球ＰＢの重量が作用するため、接触部１００Ａ（遊技球ＰＢ含む）の方がバランス部１００Ｂよりも重くなり、即ち、接触部１００Ａに押し下げ力が作用して、逆流規制板１００が開放位置（矢印−Ｒ方向）に回動して球通路１０８Ｂを開放する。なお、図５（Ａ）、（Ｂ）では、ブラケット１０３の図示を省略する。
【００６０】
そして、糸１０６付きの遊技球ＰＢは、逆流規制板１００が球通路１０８Ｂを開放することにより、逆流規制板１００を通過する（逆流規制板１００よりも下流側に流れる）。なお、糸１０６付きの遊技球ＰＢが自重で球通路１０８Ｂ内を流下するため、逆流規制板１００が開放位置への回動途中で停止することはなく、糸１０６付きの遊技球ＰＢは、球通路１０８Ｂにおける逆流規制板１００よりも下流側に位置することになる。
【００６１】
続いて、図５（Ｂ）に示すように、逆流規制板１００は、糸１０６付きの遊技球ＰＢの重量が作用しなくなること、及びバランス部１００Ｂと錘部材１０１との合計重量が接触部１００Ａの重量よりも重いことにより、遮断位置に向けて矢印＋Ｒ方向に自動で回動する。そして、逆流規制板１００は、接触部１００Ａの端部がストッパ部材１１６と接触することで遮断位置に保持され、再度、球通路１０８Ｂを遮断する。このように、ストッパ部材１１６によって、逆流規制板１００が遮断位置よりも球検出センサ１１０側へ移動することが規制されるため、逆流規制板１００が球検出センサ１１０に接触するのを防ぐことができる。
【００６２】
続いて、不正行為者が、糸１０６を上方へ引き上げたとき、糸１０６付きの遊技球ＰＢは球通路１０８Ｂ内の上方へ移動しようとする。しかし、逆流規制板１００が球通路１０８Ｂを遮断しているため、糸１０６付きの遊技球ＰＢは、逆流規制板１００（接触部１００Ａ）の下面と接触して移動が規制され、球検出センサ１１０を通過することがなくなる。このようにして、遮断位置よりも下流側の位置から上流側に向かう逆流の遊技球ＰＢの球検出センサ１１０への移動が規制されるので、糸１０６付きの遊技球ＰＢが球検出センサ１１０を複数回通過することが防止され、不正行為を防ぐことができる。
【００６３】
次に、本発明の第２実施形態に係る遊技機について説明する。なお、前述した第１実施形態と基本的に同一の部材には、前記第１実施形態と同一の符号を付与してその説明を省略する。また、各図では、矢印Ｘ、Ｙ、Ｚの記載を省略する。
【００６４】
図６（Ａ）、（Ｂ）には、第２実施形態の遊技機の一例としてのパチンコ機１３０が示されている。パチンコ機１３０は、第１実施形態のパチンコ機１０と同様に三連表示灯６４及びスピーカ５０（図１参照）を有している。また、パチンコ機１３０は、遊技球ＰＢが流れる球通路部材１０８を有しており、球通路１０８Ｂの球検出センサ１１０の下側には、逆流規制部材及び板材の一例としての逆流規制板１３２が設けられている。
【００６５】
逆流規制板１３２は、図示の奥行き方向（矢印Ｙ方向）を軸方向として配置される円柱状の軸本体１３２Ｃと、軸本体１３２Ｃの両端面からさらに外側へ突出した支持手段の一例としての回転軸１３２Ｅと、軸本体１３２Ｃの側面から矢印−Ｘ方向に延設された板材の一例としての板状の接触部１３２Ａと、軸本体１３２Ｃにおける接触部１３２Ａとは反対側の側面から矢印＋Ｘ方向に延設された板状のバランス部１３２Ｂとを含んで構成されている。
【００６６】
接触部１３２Ａは、球通路１０８Ｂ側に配置され、遊技球ＰＢが接触するようになっている。接触部１３２Ａの上面１３２Ｄは、逆流規制板１３２が回動していない初期状態において、面内方向が遊技球ＰＢの流下方向と直交するように配置されており、この位置で球通路１０８Ｂを遮断（遊技球ＰＢの通過を遮断）している。なお、以後の説明では、逆流規制板１３２が回動していない初期状態での逆流規制板１３２の位置を遮断位置とし、遊技球ＰＢが逆流規制板１３２を通過する状態での逆流規制板１３２の位置を開放位置とする。
【００６７】
接触部１３２Ａ及びバランス部１３２Ｂの長手方向と回転軸１３２Ｅの軸方向とは直交している。そして、回転軸１３２Ｅの軸中心Ｏから接触部１３２Ａの端部（図示の左端部）までの長さＬ１は、回転軸１３２Ｅの軸中心Ｏからバランス部１３２Ｂの端部（図示の右端部）までの長さＬ２よりも長くなっている。
【００６８】
一方、球通路部材１０８の外側で球検出センサ１１０の近傍には、支持手段の一例としての支持部材１３４が立設されている。支持部材１３４は、球通路部材１０８の側壁１０８Ｄと平行に対向して配置された平板状の本体部１３４Ａと、本体部１３４Ａの上面における奥行き方向の両端部からそれぞれ上方へ延設された２つの支持部１３４Ｂとを含んで構成されている。
【００６９】
２つの支持部１３４Ｂには、それぞれ奥行き方向に貫通した貫通孔１３４Ｃが形成されている。貫通孔１３４Ｃの内径は、回転軸１３２Ｅの外径よりも僅かに大きくなっており、貫通孔１３４Ｃには、逆流規制板１３２の回転軸１３２Ｅが挿通されている。これにより、逆流規制板１３２は、矢印＋Ｒ方向（図示の時計回り方向）又は矢印−Ｒ方向（図示の反時計回り方向）に回動可能に設けられている。なお、貫通孔１３４Ｃにベアリングを嵌合させて、回転軸１３２Ｅを回転可能に支持してもよい。
【００７０】
バランス部１３２Ｂの下面には、錘部材１３８が取付けられており、逆流規制板１３２に回動力（遮断位置へ向かう力）を付与するようになっている。なお、本実施形態では、バランス部１３２Ｂの重量の調整を可能とするために錘部材１３８を別部材として取付けているが、バランス部１３２Ｂと錘部材１３８は、一体であってもよい。一体とした場合は、バランス部１３２Ｂの厚さを接触部１３２Ａの厚さに対して厚くすればよい。このため、錘部材１３８は、バランス部１３２Ｂに含まれるものとする。
【００７１】
さらに、逆流規制板１３２の接触部１３２Ａの下面中央付近には、球通路１０８Ｂを遮断する方向に逆流規制板１３２を付勢する付勢手段の一例としてのトーションスプリング１３６の一端が取付けられている。そして、トーションスプリング１３６の他端は、支持部材１３４の本体部１３４Ａにおける側面（側壁１０８Ｄと対向する側面）に取付けられている。これにより、遮断位置から逆流規制板１３２が矢印−Ｒ方向に回動すると、トーションスプリング１３６によって、逆流規制板１３２に矢印＋Ｒ方向に回動させる付勢力（回動力）が付与されるようになっている。
【００７２】
ここで、軸中心Ｏを境界として、回転軸１３２Ｅを含む接触部１３２Ａの重量をＷｔ５、回転軸１３２Ｅを含むバランス部１３２Ｂの重量をＷｔ６とし、さらに、錘部材１３８の重量をＷｔ７、遊技球ＰＢの重量をＷｔ４（いずれも図示は省略）として、Ｗｔ５≦（Ｗｔ６＋Ｗｔ７）＜（Ｗｔ４＋Ｗｔ５）の不等式（以後、不等式Ｂという）に合うように各重量が設定されている。
【００７３】
不等式Ｂを用いた重量Ｗｔ４、Ｗｔ５、Ｗｔ６、Ｗｔ７の設定は、各部材の重量の設定の一例であり、前述の接触部１３２Ａの長さＬ１とバランス部１３２Ｂの長さＬ２を含めたモーメント、及びトーションスプリング１３６による付勢力も考慮して設定される。このように各部材の重量を設定することで、逆流規制板１３２は、モータ等の回転駆動手段を用いずに矢印＋Ｒ方向又は矢印−Ｒ方向に回動可能となっている。
【００７４】
ここで、逆流規制板１３２が遮断位置（初期位置）に配置されている状態において、球検出センサ１１０の下面１１２Ｄと逆流規制板１３２の上面１３２Ｄとの間隔をΔｄ１とし、遊技球ＰＢの直径をｄとして、本実施形態では、０＜Δｄ１＜ｄとなるようにΔｄ１が設定されている。これにより、逆流規制板１３２が遮断位置で保持されている状態で、糸１０６付きの遊技球ＰＢが球検出センサ１１０を上下に往復移動する不正が行われないようになっている。
【００７５】
また、逆流規制板１３２の接触部１３２Ａの端部（図示の左端部）上方には、ストッパ部材１１６が設けられている。ストッパ部材１１６は、下面が接触部１３２Ａの上面１３２Ｄと接触することで、逆流規制板１３２を遮断位置（初期位置）に保持するようになっている。
【００７６】
図６（Ｂ）に示すように、接触部１３２Ａの幅をＷ１、縦孔１０９Ａ、１０９Ｂの幅をＷ２として、Ｗ１＜Ｗ２＜ｄとなるように幅Ｗ１、Ｗ２が設定されており、接触部１３２Ａは、縦孔１０９Ａ、１０９Ｂに挿通されている。なお、縦孔１０９Ａ、１０９Ｂの幅Ｗ２が遊技球ＰＢの直径ｄよりも小さいため、遊技球ＰＢが縦孔１０９Ａ又は縦孔１０９Ｂから外側へ流出することはない。
【００７７】
次に、第２実施形態の作用について説明する。
【００７８】
図７（Ａ）に示すように、糸１０６付きの遊技球ＰＢがサイド入賞口１０２Ａから球通路１０８Ａを通って球通路１０８Ｂ内を流下する不正行為が行われたとき、球検出センサ１１０を通過中の遊技球ＰＢの下部は、球通路１０８Ｂを遮断している逆流規制板１３２の接触部１３２Ａと接触する。このとき、接触部１３２Ａには遊技球ＰＢの重量が作用するため、接触部１３２Ａ（遊技球ＰＢ含む）の方がバランス部１３２Ｂよりも重くなり、且つ接触部１３２Ａがトーションスプリング１３６の付勢力に対抗し、逆流規制板１３２が開放位置（矢印−Ｒ方向）に回動して球通路１０８Ｂを開放する。
【００７９】
そして、糸１０６付きの遊技球ＰＢは、逆流規制板１３２が球通路１０８Ｂを開放することにより、逆流規制板１３２を通過する（逆流規制板１３２よりも下流側に流れる）。なお、糸１０６付きの遊技球ＰＢが自重で球通路１０８Ｂ内を流下するため、逆流規制板１３２が開放位置への回動途中で停止することはなく、糸１０６付きの遊技球ＰＢは、球通路１０８Ｂにおける逆流規制板１３２よりも下流側に位置することになる。
【００８０】
続いて、図７（Ｂ）に示すように、逆流規制板１３２は、糸１０６付きの遊技球ＰＢの重量が作用しなくなり、バランス部１３２Ｂと錘部材１３８との合計重量が接触部１３２Ａの重量よりも重く且つトーションスプリング１３６の付勢力が付与されるため、矢印＋Ｒ方向に自動で回動する。そして、逆流規制板１３２は、接触部１３２Ａの端部がストッパ部材１１６と接触することで遮断位置に保持され、再度、球通路１０８Ｂを遮断する。このように、ストッパ部材１１６によって、逆流規制板１３２が設定位置よりも球検出センサ１１０側へ移動することが規制されるため、逆流規制板１３２が球検出センサ１１０に接触するのを防ぐことができる。
【００８１】
続いて、不正行為者が、糸１０６を上方へ引き上げたとき、糸１０６付きの遊技球ＰＢは球通路１０８Ｂ内の上方へ移動しようとする。しかし、逆流規制板１３２が球通路１０８Ｂを遮断しているため、糸１０６付きの遊技球ＰＢは、逆流規制板１３２（接触部１３２Ａ）の下面と接触して移動が規制され、球検出センサ１１０を通過することがなくなる。このようにして、遮断位置よりも下流側の位置から上流側に向かう逆流の遊技球ＰＢの球検出センサ１１０への移動が規制されるので、糸１０６付きの遊技球ＰＢが球検出センサ１１０を複数回通過することが防止され、不正行為を防ぐことができる。
【００８２】
なお、糸１０６付きの遊技球ＰＢが逆流規制板１３２を通過した後、逆流規制板１３２はトーションスプリング１３６によって付勢され、球通路１０８Ｂを遮断する元の位置に回動するので、トーションスプリング１３６を設けていない構成に比べて、短時間で逆流規制板１３２を元の位置に戻すことができる。
【００８３】
次に、本発明の第３実施形態に係る遊技機について説明する。なお、前述した第１、第２実施形態と基本的に同一の部材には、前記第１、第２実施形態と同一の符号を付与してその説明を省略する。また、各図では、矢印Ｘ、Ｙ、Ｚの記載を省略する。
【００８４】
図８（Ａ）、（Ｂ）には、第３実施形態の遊技機の一例としてのパチンコ機１４０が示されている。パチンコ機１４０は、第１実施形態のパチンコ機１０と同様に三連表示灯６４及びスピーカ５０（図１参照）を有している。また、パチンコ機１４０は、遊技球ＰＢが流れる球通路部材１５２を有している。
【００８５】
球通路部材１５２は、前述の球案内パネル（図示省略）の一部を構成しており、正面視でサイド入賞口１０２Ａから右下方向に向かって延設された球通路１５２Ａと、球通路１５２Ａの下端から下方側へ延設された球通路１５２Ｂとを有している。そして、球通路１５２Ｂの途中には、遊技球ＰＢを検出する球検出センサ１１０が設けられている。また、球通路１５２Ｂの球検出センサ１１０の下側には、逆流規制部材及び板材の一例としての逆流規制板１４２が設けられている。
【００８６】
図８（Ｂ）に示すように、球通路部材１５２の一組の側壁１５２Ｃ、１５２Ｄには、逆流規制板１４２の接触部１４２Ａが挿通及び移動可能となる大きさの縦孔１５４Ａ、１５４Ｂが形成されている。そして、矢印Ｙ方向における接触部１４２Ａの幅をＷ１、縦孔１５４Ａ、１５４Ｂの幅をＷ２として、Ｗ１＜Ｗ２＜ｄとなるように幅Ｗ１、Ｗ２が設定されており、接触部１４２Ａは、縦孔１５４Ａ、１５４Ｂに挿通されている。
【００８７】
なお、縦孔１５４Ａ、１５４Ｂの幅Ｗ２が遊技球ＰＢの直径ｄよりも小さいため、遊技球ＰＢが縦孔１５４Ａ又は縦孔１５４Ｂから外側へ流出することはない。また、接触部１４２Ａの幅方向における球通路１５２Ｂの幅は、球通路１５２Ａ側から逆流規制板１４２の下側近傍まで、第１、第２実施形態と同様にＷ３（図３（Ｂ）参照）となっており、遊技球ＰＢの直径の２倍（２ｄ）よりも狭く、接触部１４２Ａと球通路１５２Ｂとの隙間から下流側へ遊技球ＰＢが落下しないように設定されている。
【００８８】
ここで、逆流規制板１４２からさらに下流側の位置において、接触部１４２Ａの幅方向における球通路１５２Ｂの幅は、図示のようにＷ４（＞Ｗ３）と拡幅されており、遊技球ＰＢの直径の２倍（２ｄ）よりも広くなっている。これは、逆流規制板１４２が下側へ移動したとき、球通路１５２Ｂを完全に開放しきれないため、遊技球ＰＢが球通路１５２Ｂの下方で詰まらないように球通路を拡幅したことによる。
【００８９】
一方、逆流規制板１４２は、図示の奥行き方向を軸方向として配置される支持手段の一例としての円柱状の回転軸１４２Ｃと、回転軸１４２Ｃの側面から矢印−Ｘ方向に延設された板材の一例としての板状の接触部１４２Ａと、回転軸１４２Ｃにおける接触部１４２Ａとは反対側の側面から矢印＋Ｘ方向に延設された板状のバランス部１４２Ｂとを含んで構成されている。
【００９０】
接触部１４２Ａは、球通路１５２Ｂ側に配置され、遊技球ＰＢが接触するようになっている。接触部１４２Ａの上面１４２Ｄは、逆流規制板１４２が回動していない初期状態において、面内方向が遊技球ＰＢの流下方向と直交するように配置されており、この位置で球通路１５２Ｂを遮断（遊技球ＰＢの通過を遮断）している。なお、以後の説明では、逆流規制板１４２が回動していない初期状態での逆流規制板１４２の位置を遮断位置とし、遊技球ＰＢが逆流規制板１４２を通過する状態での逆流規制板１４２の位置を開放位置とする。
【００９１】
図８（Ａ）に示すように、接触部１４２Ａ及びバランス部１４２Ｂの長手方向と回転軸１４２Ｃの軸方向とは直交している。そして、回転軸１４２Ｃの軸中心Ｏから接触部１４２Ａの端部（図示の左端部）までの長さＬ３は、回転軸１４２Ｃの軸中心Ｏからバランス部１４２Ｂの端部（図示の右端部）までの長さＬ４よりも長くなっている。
【００９２】
一方、球通路部材１５２の外側で球検出センサ１１０の近傍には、支持手段の一例としての支持部材１４４が立設されている。支持部材１４４は、球通路部材１５２の側壁１５２Ｄと平行に対向して配置された平板状の本体部１４４Ａと、本体部１４４Ａの上面における奥行き方向の両端部からそれぞれ上方へ延設された２つの支持部１４４Ｂとを含んで構成されている。
【００９３】
２つの支持部１４４Ｂには、それぞれ奥行き方向に貫通した貫通孔１４４Ｃが形成されている。貫通孔１４４Ｃの内径は、回転軸１４２Ｃの外径よりも僅かに大きくなっており、貫通孔１４４Ｃには、逆流規制板１４２の回転軸１４２Ｃが挿通されている。これにより、逆流規制板１４２は、矢印＋Ｒ方向（図示の時計回り方向）又は矢印−Ｒ方向（図示の反時計回り方向）に回動可能に設けられている。なお、貫通孔１４４Ｃにベアリングを嵌合させて、回転軸１４２Ｃを回転可能に支持してもよい。
【００９４】
バランス部１４２Ｂの下面には、錘部材１４６が取付けられており、逆流規制板１４２に回動力（遮断位置へ向かう力）を付与するようになっている。なお、本実施形態では、バランス部１４２Ｂの重量の調整を可能とするために錘部材１４６を別部材として取付けているが、バランス部１４２Ｂと錘部材１４６は、一体であってもよい。一体とした場合は、バランス部１４２Ｂの厚さを接触部１４２Ａの厚さに対して厚くすればよい。このため、錘部材１４６は、バランス部１４２Ｂに含まれるものとする。
【００９５】
さらに、逆流規制板１４２の接触部１４２Ａの下面中央付近には、球通路１５２Ｂを遮断する方向に逆流規制板１４２を付勢する付勢手段の一例としてのトーションスプリング１３６の一端が取付けられている。そして、トーションスプリング１３６の他端は、支持部材１４４の本体部１４４Ａにおける側面（側壁１５２Ｄと対向する側面）に取付けられている。これにより、遮断位置から逆流規制板１４２が矢印−Ｒ方向に回動すると、トーションスプリング１３６によって、逆流規制板１４２に矢印＋Ｒ方向に回動させる付勢力（回動力）が付与されるようになっている。
【００９６】
ここで、軸中心Ｏを境界として、回転軸１４２Ｃを含む接触部１４２Ａの重量をＷｔ８、回転軸１４２Ｃを含むバランス部１４２Ｂの重量をＷｔ９とし、さらに、錘部材１４６の重量をＷｔ１０、遊技球ＰＢの重量をＷｔ４（いずれも図示は省略）として、Ｗｔ８≦（Ｗｔ９＋Ｗｔ１０）＜（Ｗｔ４＋Ｗｔ８）の不等式（以後、不等式Ｃという）に合うように各重量が設定されている。
【００９７】
不等式Ｃを用いた重量Ｗｔ４、Ｗｔ８、Ｗｔ９、Ｗｔ１０の設定は、各部材の重量の設定の一例であり、前述の接触部１４２Ａの長さＬ３とバランス部１４２Ｂの長さＬ４を含めたモーメント、及びトーションスプリング１３６による付勢力も考慮して設定される。このように各部材の重量を設定することで、逆流規制板１４２は、モータ等の回転駆動手段を用いずに矢印＋Ｒ方向又は矢印−Ｒ方向に回動可能となっている。
【００９８】
また、逆流規制板１４２が遮断位置（初期位置）に配置されている状態において、球検出センサ１１０の下面１１２Ｄと逆流規制板１４２の上面１４２Ｄとの間隔をΔｄ２とし、遊技球ＰＢの直径をｄとして、本実施形態では、０＜Δｄ２＜ｄとなるようにΔｄ２が設定されている。これにより、逆流規制板１４２が遮断位置で保持されている状態で、糸１０６付きの遊技球ＰＢが球検出センサ１１０を上下に往復移動する不正が行われないようになっている。
【００９９】
さらに、逆流規制板１４２の接触部１４２Ａの端部（図示の左端部）上方には、ストッパ部材１１６が設けられている。ストッパ部材１１６は、下面が接触部１４２Ａの上面１４２Ｄと接触することで、逆流規制板１４２を遮断位置（初期位置）に保持するようになっている。
【０１００】
一方、接触部１４２Ａの端部で上面１４２Ｄの奥行き方向中央部には、板状の被検出部１４２Ｅが立設されている。そして、パチンコ機１４０の内部で球通路部材１５２に近接して設けられたブラケット（図示省略）には、平面視で被検出部１４２Ｅをコ字状に囲むようにしてフォトセンサ１４８が設けられている。フォトセンサ１４８は、被検出部１４２Ｅによる光の遮断の有無により、逆流規制板１４２が遮断位置（初期位置）にあるかどうかを検出するようになっている。
【０１０１】
フォトセンサ１４８では、一例として、被検出部１４２Ｅにより光が遮断されているときにＬ信号を出力し、光が遮断されていないときにＨ信号を出力する。また、フォトセンサ１４８は、制御部９０（図４参照）に接続されている。制御部９０では、フォトセンサ１４８から出力されたＨ信号が予め設定した設定時間を越えたときに、不正状態であると判定して、三連表示灯６４による点滅表示あるいはスピーカ５０からの警告音の出力を行わせるように設定されている。なお、制御部９０、被検出部１４２Ｅ、及びフォトセンサ１４８が、逆流規制板１４２の開放時間を検出する開放時間検出手段の一例である。
【０１０２】
次に、第３実施形態の作用について説明する。
【０１０３】
図９（Ａ）に示すように、糸１０６付きの遊技球ＰＢがサイド入賞口１０２Ａから球通路１５２Ａを通って球通路１５２Ｂ内を流下する不正行為が行われたとき、球検出センサ１１０を通過中の遊技球ＰＢの下部は、球通路１５２Ｂを遮断している逆流規制板１４２の接触部１４２Ａと接触する。このとき、接触部１４２Ａには遊技球ＰＢの重量が作用するため、接触部１４２Ａ（遊技球ＰＢ含む）の方がバランス部１４２Ｂよりも重くなり、且つ接触部１４２Ａがトーションスプリング１３６の付勢力に対抗し、逆流規制板１４２が開放位置（矢印−Ｒ方向）に回動して球通路１５２Ｂを開放する。また、フォトセンサ１４８からＨ信号が出力される。
【０１０４】
そして、糸１０６付きの遊技球ＰＢは、逆流規制板１４２が球通路１５２Ｂを開放することにより、逆流規制板１４２を通過する（逆流規制板１４２よりも下流側に流れる）。なお、糸１０６付きの遊技球ＰＢが自重で球通路１５２Ｂ内を流下するため、逆流規制板１４２が開放位置への回動途中で停止することはなく、糸１０６付きの遊技球ＰＢは、球通路１５２Ｂにおける逆流規制板１４２よりも下流側に位置することになる。
【０１０５】
続いて、図９（Ｂ）に示すように、逆流規制板１４２は、糸１０６付きの遊技球ＰＢの重量が作用しなくなり、バランス部１４２Ｂと錘部材１４６との合計重量が接触部１４２Ａの重量よりも重く且つトーションスプリング１３６の付勢力が付与されるため、矢印＋Ｒ方向に自動で回動する。そして、逆流規制板１４２は、接触部１４２Ａの端部がストッパ部材１１６と接触することで遮断位置に保持され、再度、球通路１５２Ｂを遮断する。このように、ストッパ部材１１６によって、逆流規制板１４２が遮断位置よりも球検出センサ１１０側へ移動することが規制されるため、逆流規制板１４２が球検出センサ１１０に接触するのを防ぐことができる。
【０１０６】
続いて、不正行為者が、糸１０６を上方へ引き上げたとき、糸１０６付きの遊技球ＰＢは球通路１５２Ｂ内の上方へ移動しようとする。しかし、逆流規制板１４２が球通路１５２Ｂを遮断しているため、糸１０６付きの遊技球ＰＢは、逆流規制板１４２（接触部１４２Ａ）の下面と接触して移動が規制され、球検出センサ１１０を通過することがなくなる。このようにして、遮断位置よりも下流側の位置から上流側に向かう逆流の遊技球ＰＢの球検出センサ１１０への移動が規制されるので、糸１０６付きの遊技球ＰＢが球検出センサ１１０を複数回通過することが防止され、不正行為を防ぐことができる。
【０１０７】
なお、糸１０６付きの遊技球ＰＢが逆流規制板１４２を通過した後、逆流規制板１４２はトーションスプリング１３６によって付勢され、球通路１５２Ｂを遮断する元の位置に回動するので、トーションスプリング１３６を設けていない構成に比べて、短時間で逆流規制板１４２を元の位置に戻すことができる。
【０１０８】
一方、パチンコ機１４０において、例えば、糸１０６付きの遊技球ＰＢとは別の部材が使用され、逆流規制板１４２が開放された場合、フォトセンサ１４８によって球通路１５２Ｂの開放状態が検出され、制御部９０（図４参照）にＨ信号が出力される。そして、制御部９０では、Ｈ信号が入力されてからの経過時間がカウントされる。
【０１０９】
ここで、逆流規制板１４２が開放状態のまま保持され、Ｈ信号が入力されてからの経過時間が設定時間を越えた場合、制御部９０は、三連表示灯６４を点滅させ又はスピーカ５０から警告を出力して、パチンコ機１４０が不正状態であることを報知する。このように、糸１０６付きの遊技球ＰＢとは別の部材が使用されて球通路１５２Ｂが開放されても、不正状態を防ぐことができる。また、制御部９０では、Ｈ信号が入力されてからの経過時間が設定時間以内の場合は、三連表示灯６４及びスピーカ５０を通常の遊技状態で動作（演出用の点灯動作、効果音の出力動作）させる。
【０１１０】
図１０（Ａ）において、上記の第１〜第３実施形態における逆流規制板１００、１３２、１４２は、球通路１０８Ｂ、１５２Ｂの閉塞時に球検出センサ１１０の下側に近接して配置されている（図３（Ａ）のΔｄ１、図８（Ａ）のΔｄ２参照）。さらに、図１０（Ｂ）に示すように、逆流規制板１００、１３２、１４２は、平面視したときの矢印Ｙ方向の幅Ｗ１が、球検出センサ１１０の通過孔１１２Ａの直径Ｗ５（＞Ｗ１）に近い大きさとなっている。
【０１１１】
ここで、球検出センサ１１０の通過孔１１２Ａの直径Ｗ５と、逆流規制板１００、１３２、１４２の矢印Ｙ方向の幅Ｗ１との差（以後、ΔＷ（図示省略）とする）は、遊技球ＰＢの直径ｄ（図３（Ａ）参照）に比べて小さく、ΔＷ＝（Ｗ５−Ｗ１）＜ｄとなっている。これにより、この構成では、図１０（Ｂ）に示すように、逆流規制板１００、１３２、１４２の矢印Ｙ方向の端部と通過孔１１２Ａの孔壁との間に相当する隙間を、遊技球ＰＢが下側から上側へ通過することはできない。即ち、逆流規制板１００、１３２、１４２よりも下側にある糸１０６（図３（Ａ）参照）付きの遊技球ＰＢを引き上げても、通過孔１１２Ａを通過させることができないので、不正行為を防止することができる。
【０１１２】
なお、本発明は上記の実施形態に限定されない。
【０１１３】
パチンコ機１０は、遊技盤２２が非対称ゲージとなっていたが、対称ゲージであってもよい。各逆流規制板１００、１３２、１４２は、回動可能となるスペースがあれば、特別図柄始動入賞口８６Ａ、８６Ｂ、他のサイド入賞口１０２Ｂ、１０２Ｃの球通路の球検出センサ１１０よりも下流側に設けてもよい。また、各逆流規制板１００、１３２、１４２は、パチンコ機１０、１３０、１４０を正面視して、左右方向を長手方向とする設置だけでなく、前後方向を長手方向とする設置としてもよい。さらに、逆流規制板１００、１３２、１４２は１枚に限らず、球通路を挟んで左右両側に１枚ずつ設けて、開閉扉式としてもよい。そして、逆流規制板１００、１３２、１４２の幅を、球検出センサ１１０の通過孔１１２Ａを完全に塞ぐ大きさとしてもよい。
【０１１４】
また、錘部材１０１、１３８、１４６に換えて、引張ばねをバランス部１００Ｂ、１３２Ｂ、１４２Ｂの下面に取付けて、バランス部１００Ｂ、１３２Ｂ、１４２Ｂを下方側へ引っ張るように構成してもよい。さらに、トーションスプリング１３６に換えて、コイルスプリングを設けてもよい。加えて、被検出部１４２Ｅは、中央に配置する他に、前後方向における一方の端部側に寄せて配設してもよい。
【符号の説明】
【０１１５】
１０  パチンコ機（遊技機の一例）
５０  スピーカ（報知手段の一例）
６４  三連表示灯（報知手段の一例）
９０  制御部（開放時間検出手段の一例）
１００  逆流規制板（逆流規制部材の一例）
１００Ａ  接触部（板材の一例）
１００Ｂ  バランス部
１００Ｃ  回転軸（支持手段の一例）
１０３  ブラケット（支持手段の一例）
１０８Ｂ  球通路
１１０  球検出センサ（検出手段の一例）
１１６  ストッパ部材（移動規制部材の一例）
１３０  パチンコ機（遊技機の一例）
１３２  逆流規制板（逆流規制部材の一例）
１３２Ａ  接触部（板材の一例）
１３２Ｂ  バランス部
１３２Ｅ  回転軸（支持手段の一例）
１３４  支持部材（支持手段の一例）
１３６  トーションスプリング（付勢手段の一例）
１４０  パチンコ機（遊技機の一例）
１４２  逆流規制板（逆流規制部材の一例）
１４２Ａ  接触部（板材の一例）
１４２Ｂ  バランス部
１４２Ｃ  回転軸（支持手段の一例）
１４２Ｅ  被検知部（開放時間検出手段の一例）
１４８  フォトセンサ（開放時間検出手段の一例）
１５２Ｂ  球通路
ＰＢ  遊技球
【図１】
0005694796.tif 000002
【図２】
0005694796.tif 000003
【図３】
0005694796.tif 000004
【図４】
0005694796.tif 000005
【図５】
0005694796.tif 000006
【図６】
0005694796.tif 000007
【図７】
0005694796.tif 000008
【図８】
0005694796.tif 000009
【図９】
0005694796.tif 000010
【図１０】
0005694796.tif 000011